(57)【要約】【課題】  既存の空調設備等に簡単に追加することができ、大量の冷水等を効率的に容易に得ることができる蓄熱装置とその運転方法を提供する。【解決手段】  圧縮機１４と室外機熱交換器１６、放熱ファン１８等を備えた室外機１６と、室内機熱交換器２４と送風機２６等を備えた室内機２８とを有する。室外機１６と室内機２８との間に設けられ冷媒を運ぶ配管５２，６０，６４，６８等と、内部に水を蓄えた蓄熱槽１２と、蓄熱槽１２に接続されたタンク側熱交換器７０と、タンク側熱交換器７０に接続された配管６６，６８と、室外機２８に接続された配管の途中に設けられ、室内機２８側の配管と蓄熱槽１２側の配管を切り替える切替弁５１，６７を備える。タンク側熱交換器７０は、室外機との間の冷媒が循環すると共に、蓄熱槽１２との間で不凍液が循環する。蓄熱槽１２には、樹脂製の熱交換パイプ９０が多数本並列に接続されたメインパイプ９２が設けられている。【選択図】図１
2006010256.tif 000002
【特許請求の範囲】
【請求項１】
圧縮機と室外機熱交換器、放熱ファンを備えた室外機と、室内機熱交換器を備えた室内機と、前記室外機と室内機との間に設けられ冷媒を運ぶ配管と、内部に水を蓄えた蓄熱槽と、この蓄熱槽に接続されたタンク側熱交換器と、前記タンク側熱交換器に接続された配管と、前記室外機に接続された配管の途中に設けられ、前記室内機側配管と前記蓄熱槽側配管を切り替える切替弁を設けたことを特徴とする蓄熱装置。
【請求項２】
前記タンク側熱交換器は、前記室外機との間の冷媒が循環すると共に、前記蓄熱槽との間でブラインが循環することを特徴とする請求項１記載の蓄熱装置。
【請求項３】
前記蓄熱槽には、樹脂製の熱交換パイプが多数本並列に接続されたメインパイプが設けられ、前記熱交換パイプが水中に浸漬され、前記メインパイプが前記タンク側熱交換器に接続されていることを特徴とする請求項１記載の蓄熱装置。
【請求項４】
前記蓄熱槽には、中の水を外部に供給する送水パイプと、タンク内に給水する給水パイプが接続され、前記送水パイプは、直接または熱交換器を介して間接的に外部に冷水を供給する冷水供給手段を備えたことを特徴とする請求項１記載の蓄熱装置。
【請求項５】
圧縮機と室外機熱交換器、放熱ファンを備えた室外機と、室内機熱交換器を備えた室内機と、前記室外機と室内機との間に設けられ冷媒を運ぶ配管と、内部に水を蓄えた蓄熱槽と、この蓄熱槽に接続されたタンク側熱交換器と、前記タンク側熱交換器に接続された配管と、前記室外機に接続された配管の途中に設けられ、前記室内機側配管と前記蓄熱槽側配管を切り替える切替弁を設けた蓄熱装置の運転方法において、前記蓄熱槽には、樹脂製の熱交換パイプが多数本並列に接続されたメインパイプが設けられ、前記熱交換パイプが水中に浸漬され、前記メインパイプは前記タンク側熱交換器に接続され、前記蓄熱槽内の水を凍らせた後、前記蓄熱槽の熱交換パイプに相対的に温度の高いブラインを流して前記熱交換パイプ周囲の氷を溶かし、この解かした冷水を前記蓄熱槽外に供給することを特徴とする蓄熱装置の運転方法。
【請求項６】
前記蓄熱槽内の水を凍らせた後、前記タンク側熱交換器内を流れる冷媒の流れを逆にすることにより、前記蓄熱槽の熱交換パイプに相対的に温度の高いブラインを流すことを特徴とする請求項５記載の蓄熱装置の運転方法。
【請求項７】
前記蓄熱槽内の水を凍らせた後、前記蓄熱槽の熱交換パイプに流れるブラインの管路を切り替えて、他の熱交換器を通る循環経路にして、相対的に温度の高いブラインを前記熱交換パイプに流すことを特徴とする請求項５記載の蓄熱装置の運転方法。
【請求項８】
前記熱交換パイプ周囲の氷を溶かした後、前記タンク側熱交換器の冷媒の流れを製氷用の循環とし、前記蓄熱槽内の熱交換パイプに製氷用の低温のブラインを流して、前記蓄熱槽に外部から給水しながら冷水を取り出すことを特徴とする請求項６または７記載の蓄熱装置の運転方法。
【発明の詳細な説明】
【技術分野】
【０００１】
この発明は、夜間電力等を利用して冷却装置等を運転し、水を氷に変換してその潜熱によるエネルギー等を蓄積して利用可能にする蓄熱装置とその運転方法に関する。
【背景技術】
【０００２】
従来、例えば氷蓄熱装置を用いた空調装置として、特許文献１に開示されている空調装置がある。この空調装置は、圧縮機と熱交換器、放熱ファン等を備えた室外機と、熱交換器と送風機等を備えた室内機とが冷媒を運ぶ配管で結ばれた構成となっている。そして、室外機と室内機との間に氷蓄熱槽を設けて、夜間電力を利用して氷蓄熱槽にエネルギーを蓄え、日中の冷房時の冷却エネルギーとして蓄熱槽の氷を利用している。
【０００３】
この氷蓄熱槽の利用方式として、氷蓄熱槽内の熱交換パイプ外の氷水の水を直接冷水源として用いる外融式氷蓄熱装置と、氷蓄熱槽内の水を凍らせた後熱交換パイプ内の冷媒の流れを逆にして切り替え、その熱交換パイプを介して冷熱を取り出す内融式氷蓄熱装置とがある。この各方式は各々一長一短があり、外融式氷蓄熱装置は、氷水の冷水を直接利用するので、低温の水を大量に取り出すことができるという利点がある反面、蓄熱槽内の水を全部凍らせてしまうと冷水を取り出せなくなるので、せいぜい数十％の水を凍らせる程度であり、熱効率が劣るものであった。また、蓄熱槽も比較的大きなものとなっていた。
【０００４】
一方、内融式氷蓄熱装置の場合、熱交換器内の水を１００％凍らせて使うことができ、比較的小型で大容量の蓄熱を可能とするが、低温の水を大量に取り出すことが難しく、用途が限られていた。また、特許文献２に開示されているように、蓄熱槽内の水を攪拌して短時間に冷水を供給する能力を高めた内融式氷蓄熱装置も提案されている。
【特許文献１】特開２００３−３３６８８４号公報
【特許文献２】特開２０００−３０４３０８号公報
【発明の開示】
【発明が解決しようとする課題】
【０００５】
上記従来の技術の氷蓄熱装置は、蓄熱装置のシステムとして大がかりなものであり、特別の配管や装置を必要とするものであった。従って、既存の空調システム等に簡単に追加できるものではなかった。また、外融式氷蓄熱装置は、外部から供給される水をタンク内の氷で冷やすので、製氷率を上げると、外部からの水の通水が難しくなり、しかも氷と水が接触する表面積が小さくなるものである。従って、製氷率を上げると、ますます０℃に近い冷水の大量供給が難しくなるものであった。一方、内融式氷蓄熱装置も低温の水を大量に取り出すことができないものである。従って、蓄熱装置においては、蓄熱効率を上げることと、温度の低い冷水を大量に取り出すことは、互いに相反するものであった。従って、夜間電力等を利用した蓄熱装置は、利用方法や用途等に合わせて個別的な蓄熱装置のシステムとして、新規に独立した装置を設置するものであった。
【０００６】
この発明は、上記従来の技術の問題点に鑑みてなされたものであり、既存の空調設備等に簡単に追加することができ、夜間に使用されていない既存の空調システムを用いて、大量の冷水等を効率的に容易に得ることができる蓄熱装置とその運転方法を提供することを目的とする。
【課題を解決するための手段】
【０００７】
この発明は、圧縮機と室外機熱交換器、放熱ファン等を備えた室外機と、室内機熱交換器と送風機等を備えた室内機と、前記室外機と室内機との間に設けられ冷媒を運ぶ配管と、内部に水を蓄えた蓄熱槽と、この蓄熱槽に接続されたタンク側熱交換器と、前記タンク側熱交換器に接続された配管と、前記室外機に接続された配管の途中に設けられ、前記室内機側配管と前記蓄熱槽側配管を切り替える切替弁を設けた蓄熱装置である。
【０００８】
前記蓄熱槽は、氷蓄熱槽または温水蓄熱槽である。前記タンク側熱交換器は、前記室外機との間の冷媒が循環すると共に、前記蓄熱槽との間で不凍液が循環するものである。前記蓄熱槽には、樹脂製の熱交換パイプが多数本並列に接続されたメインパイプが設けられ、前記熱交換パイプが水中に浸漬され、前記メインパイプは前記タンク側熱交換器に接続されている。前記蓄熱槽には、中の水を外部に供給する送水パイプと、タンク内に給水する給水パイプが接続されている。この送水パイプは、直接または熱交換器を介して間接的に外部に冷水を供給する。
【０００９】
またこの発明は、圧縮機と室外機熱交換器、放熱ファン等を備えた室外機と、室内機熱交換器と送風機等を備えた室内機と、前記室外機と室内機との間に設けられ冷媒を運ぶ配管と、内部に水を蓄えた蓄熱槽と、この蓄熱槽に接続されたタンク側熱交換器と、前記タンク側熱交換器に接続された配管と、前記室外機に接続された配管の途中に設けられ、前記室内機側配管と前記蓄熱槽側配管を切り替える切替弁を設けた蓄熱装置の運転方法であって、前記蓄熱槽には、樹脂製の熱交換パイプが多数本並列に接続されたメインパイプが設けられ、前記熱交換パイプが水中に浸漬され、前記メインパイプは前記タンク側熱交換器に接続され、前記蓄熱槽内の水を凍らせた後、前記蓄熱槽の熱交換パイプに相対的に温度の高いブラインを流して、一旦前記熱交換パイプ周囲の氷を溶かして、前記熱交換パイプの周囲を外部から給水する水の流路とし、冷水を前記蓄熱槽外に供給する蓄熱装置の運転方法である。
【００１０】
前記蓄熱槽の熱交換パイプに相対的に温度の高いブラインを流す方法としては、前記タンク側熱交換器内を流れる冷媒の流れを逆にして、前記蓄熱槽の熱交換パイプに温度の高いブラインを流すようにする。または、前記蓄熱槽の熱交換パイプに流れるブラインの管路を切り替えて、他の熱交換器を通る循環経路にして、他の熱交換器で熱交換された温度の高いブラインを前記熱交換パイプに流すようにしても良い。
【００１１】
さらに、前記熱交換パイプ周囲の氷を溶かした後、前記熱交換パイプを製氷用の不凍液の循環とし、前記蓄熱槽に外部から給水しながら冷水を取り出すものである。
【発明の効果】
【００１２】
本発明の蓄熱装置は、既存の空調装置等の設備に後付けにより蓄熱槽等を簡単に取り付けて、夜間等に使用されていない既存の空調システムを用いて、深夜電力等を利用した蓄熱装置を構成することができ、大がかりな設備を別途設けることなく、エネルギー効率の良い冷水または温水供給システムを構成することができる。
【００１３】
また、この発明の蓄熱装置の運転方法は、蓄熱槽の水を殆ど凍らせても、効率的に蓄熱槽内の冷水を取り出すことができ、さらに、外部から給水しながら効率的に冷水を製造することも可能であり、大量に効率良く冷水を供給可能なものである。
【００１４】
特に、本願発明の蓄熱装置の運転方法によれば、基本的には外融式蓄熱装置において高い製氷率で、外部から供給される大量の水を広い接触面積で氷に接触させて０℃に近い低温の冷水を大量に供給することができる。また外融式の蓄熱装置の構成で製氷率を高くすることができ、比較的小型の装置で大量の氷蓄熱が可能となり、効率的な運転が可能となるものである。
【発明を実施するための最良の形態】
【００１５】
以下、この発明の実施形態について図面に基づいて説明する。図１〜図４はこの発明の一実施形態を示すもので、この実施形態の蓄熱装置１０は、四角筒状に形成され上方に開口した蓄熱槽１２が設けられている。蓄熱槽１２は、断熱性を有する構造である。蓄熱装置１０は、圧縮機１４と室外機熱交換器１６、放熱ファン１８、放熱ファン１８の駆動モータ２０等を備えた室外機２２を有する。さらに、室内機熱交換器２４と、送風機２６を備えた室内機２８を備えている。
【００１６】
室外機２２には、４カ所の接続口を有した４方弁３０が設けられ、圧縮機１４と４方弁３０との間に接続され代替フロン等の冷媒を圧縮機１４に送る配管３２と、圧縮機１４から４方弁３０に冷媒を送り出す配管３４と、４方弁３０と室外機熱交換器１６の一方の接続口とを接続した配管３６が設けられている。さらに、室外機熱交換器１６の他方の接続口には、配管３８が接続され、配管３８は分岐して、室外機熱交換器１６側に冷媒が流れる膨張弁４０と、室外機熱交換器１６から冷媒が流れ出る方向にのみ開く逆止弁４２に接続されている。膨張弁４０と逆止弁４２は、各々に分岐した配管から１本になった配管４４に繋がっている。配管４４の他端は、冷媒を溜めるレシーバタンク４６に接続し、さらにレシーバタンク４６には、他方の配管４８が接続している。配管４８は、二又状の分岐管５０に接続されている。
【００１７】
分岐管５０の一方には、配管５２が接続され、配管５２の途中に切替弁５１が設けられている。さらに、配管５２は、室内機２８の膨張弁５４と逆止弁５６に分岐して接続され、膨張弁５４と逆止弁５６は、１本の配管５３を介して室内機熱交換器２４に接続している。膨張弁５４と逆止弁５６は、室外機熱交換器１６側に冷媒が流れる膨張弁５４と、室外機熱交換器１６から冷媒が流れ出る方向にのみ開く逆止弁５６の構成となっている。
【００１８】
室内機熱交換器２４の他方の接続口には、配管６０が接続され、二又状の分岐管６２の一つの接続口に接続されている。分岐管６２の他方の接続口は、配管６４により４方弁３０の残りの接続口に接続されている。
【００１９】
分岐管６２のさらに他方の接続口には、配管６６が接続され、もう一方の分岐管５０の他方の接続口には配管６８が接続されている。そして、配管６６，６８は、タンク側熱交換器７０に接続されている。配管６８には、その途中に切替弁６７設けられ、先端部は分岐して膨張弁７２と逆止弁７４が接続され、膨張弁７２と逆止弁７４の他端部は１本の配管６９を介してタンク側熱交換器７０に接続している。膨張弁７２と逆止弁７４は、タンク側熱交換器７０側に冷媒が流れる膨張弁７２と、タンク側熱交換器７０から冷媒が流れ出る方向にのみ開く逆止弁７４の構成となっている。
【００２０】
タンク側熱交換器７０には、蓄熱槽１２に不凍液等のブラインを送る側の配管７６と、蓄熱槽１２からブラインがタンク側熱交換器７０に戻る配管７８が設けられ、配管７８の途中に、ブラインを循環させるポンプ８０が設けられている。また、タンク側熱交換器７０には、温度センサ８２が設けられ、温度センサ８２の出力は、ブラインの温度を調節する温度調節器８４が設けられている。
【００２１】
蓄熱槽１２には、図４に示すように、樹脂製の細いパイプである熱交換パイプ９０が多数本並列に接続されたメインパイプ９２が収納されている。メインパイプ９２は、供給側と戻り側の２本が一対となって、各熱交換パイプ９０の両端が別々に接続され、供給側のメインパイプ９２が配管７６に接続され、戻り側のメインパイプ９２が配管７８に接続されている。この各メインパイプ９２の対が、複数対蓄熱槽１２に設けられ、各熱交換パイプ９０が整列して蓄熱槽１２の水中に浸漬されている。
【００２２】
蓄熱槽１２には、蓄熱槽１２内に給水する配管９４が、バルブ９６を介して接続され、蓄熱槽１２内の冷水を外部に供給する配管９８が、ポンプ１００とバルブ１０２を介して設けられている。配管９８の端部は、冷水が蓄熱槽１２に戻るように接続しても良く、外部に放出されるようにしても良い。バルブ１０２には、外部から水が混合されるようにしても良い。
【００２３】
次に、この実施形態の蓄熱装置１０の運転方法について説明する。先ず、室外機２２と室内機２８を日中に空調用に使用する場合について説明する。室内機２８を冷房用に使用する場合は、切替弁５１を開き、切替弁６７を閉じる。そして、図２に示すように、圧縮機１４から冷媒が配管３４を通って、４方弁３０により配管３６に送られ、配管３６から室外機熱交換器１６により放熱されて、配管３８に送られ、逆止弁４２、配管４４、レシーバタンク４６を経て、配管４８に送られる。そして冷媒は、配管４８から、分岐管５０により図２の破線矢印方向に向けられ、配管５２を経て切替弁５１、膨張弁５４に送られる。そして、冷媒は、配管５３から室内機熱交換器２４に送られて室内機熱交換器２４を冷却し、室内機２８の送風機２６により冷風を放出する。室内機熱交換器２４から、冷媒が配管６０を経て分岐管６２に送られ、図２の破線矢印のように、配管６４に向かい、４方弁３０で配管３２に向けられ、圧縮機１４に戻る。
【００２４】
また、室内機２８を日中に暖房用に使用する場合も、切替弁５１を開き、切替弁６７を閉じる。そして、図３に示すように、圧縮機１４から冷媒が配管３４を通って４方弁３０により、配管６４に送られ、図２とは逆回りに、配管６４から分岐管６２に送られ、図３の破線矢印のように、配管６０に向かい、室内機熱交換器２４で放熱し、送風機２６により室内機２８は温風を放出する。そして、室内機熱交換器２４から、冷媒が配管５３を経て、逆止弁５６、切替弁５１、配管５２、分岐管５０により図２の破線矢印方向に向けられ、配管４８、レシーバタンク４６に送られる。冷媒は、レシーバタンク４６から配管４４に送られ、配管４４から膨張弁４０に送られる。そして、配管３８を経て室外機熱交換器１６に送られ、放熱ファン１８からの送風が吸熱され冷風を放出する。室外機熱交換器１６から冷媒は、配管３６を経て４方弁３０で配管３２に向けられ、圧縮機１４に戻る。
【００２５】
次に、夜間に蓄熱槽１２内に氷を作る場合について、図２を基にして説明する。このとき、切替弁５１を閉じ、切替弁６７を開く。そして、上記の冷房時と同様に圧縮機１４から冷媒が、配管３４を通って４方弁３０により配管３６に送られ、配管３６から室外機熱交換器１６により放熱されて、配管３８に送られ、逆止弁４２、配管４４、レシーバタンク４６を経て、配管４８に送られる。そして冷媒は、配管４８から、分岐管５０により図２の実線矢印方向に向けられる。これにより、冷媒は配管６８を経て切替弁６７、膨張弁７２に送られ、タンク側熱交換器７０を冷却する。タンク側熱交換器７０から、冷媒が配管６６を経て分岐管６２に送られ、図２の実線矢印のように、配管６４に向かい、４方弁３０で配管３２に向けられ、圧縮機１４に戻る。
【００２６】
タンク側熱交換器７０では、配管７８から送られるブラインが、冷媒と熱交換して冷却され、配管７６から送り出される。冷却されたブラインは、蓄熱槽１２の熱交換パイプ９０に送られ、蓄熱槽１２内の水を冷却し、凍結させる。この実施形態では、蓄熱槽１２内の水はほぼ１００％凍結させる。
【００２７】
さらに、蓄熱槽１２内の水をほぼ全て凍らせた後、冷水を必要とする場合、４方弁３０を切り替えてタンク側熱交換器７０に流れる冷媒の流れを、製氷時とは逆の後述する温水製造時と同様の流れとし、その状態でブラインを循環させ、一旦熱交換パイプ９０の周囲の氷を一部解かす。この後、この解かした氷水を、ポンプ１００により蓄熱槽１２外に供給する。またこのとき、バルブ９６を開いて、給水パイプである配管９４を経て外部から蓄熱槽１２に給水しながら、冷水を取り出すことも可能である。このとき、４方弁３０の位置は、再び製氷時の位置とする。これにより、供給された水をブラインによる冷却と周囲の氷による冷却で、低温の冷水を送水パイプである配管９８とポンプ１００により大量に送り出すことができる。
【００２８】
次に、夜間に蓄熱槽１２内に温水を作る場合について、図３を基にして説明する。このときも、切替弁５１を閉じ、切替弁６７を開く。そして、上記の暖房時と同様に圧縮機１４から冷媒が配管３４を通って、４方弁３０により配管６４に送られ、図２とは逆回りに、配管６４から分岐管６２に送られ、図３の実線矢印のように、配管６６に向かい、タンク側熱交換器７０で放熱する。これより、タンク側熱交換機７０を流れるブラインが加熱され、配管７６を介して蓄熱層１２の熱交換パイプ９０に流れる。熱交換パイプ９０は、周囲の水と熱交換し、周囲の水を温めて配管７８、ポンプ８０を経てタンク側熱交換器７０に戻って、循環する。そして、タンク側熱交換器７０から、冷媒が配管６８を経て、逆止弁７４、配管６８、切替弁６７を経て、分岐管５０により図３の実線矢印方向に向けられ、配管４８、レシーバタンク４６に送られる。後は、上記暖房の場合と同様に流れる。
【００２９】
この実施形態の蓄熱装置１０により得られる冷水は、蓄熱層１２内の水をほとんど凍らせた後、熱交換パイプ９０の周りの氷を僅かに解かして、外部から給水しながら熱交換パイプ９０による製氷動作をしつつ、冷水を取り出すことができる。これにより大量の冷水を使用することができ、食品工場や、スーパマーケット、その他の作業場等において利用することができる。同様に、温水を得る場合も、簡単に大量の温水を製造することができる。
【００３０】
この実施形態の蓄熱装置１０によれば、夜間に使用されていない既存の空調システムを用いるもので、空調装置としての室外機１６を備えている装置であれば、分岐管５０，６２と蓄熱槽１２及び配管等を追加することにより簡単に蓄熱槽１２を用いた冷水や温水の供給装置を形成することができる。また、室外機熱交換機１６は、空調機の他、冷蔵庫等の熱交換機を利用することも可能である。
【００３１】
また、冷水供給のための運転方法として、蓄熱槽１２内の水をほぼ１００％凍らせた後、４方弁３０を切り替えて冷媒の流れを図３の状態とし、タンク側熱交換機７０に流れる冷媒を逆流させて、一旦熱交換パイプ９０に暖かいブラインを流し、熱交換パイプ９０の周囲の氷を僅かに解かして、蓄熱槽１２内の冷水を利用することにより、大量の氷温に近い冷水を供給することができる。特に外部から水を蓄熱槽１２に供給しながら冷水を取り出すこともでき、極めて大量の冷水を利用可能とする。
【００３２】
また、熱交換パイプ９０が樹脂製の細いパイプをメインパイプ９２に接続した構造であるので、蓄熱槽１２内の水が１００％凍る際にもパイプの可撓性によりメインパイプ９０が破損することが無く、水が凍る際の体積膨張にも耐え得る。また、樹脂製の熱交換パイプ９０は腐食することが無く、耐久性がある。その他、細い熱交換パイプ９０の成型が可能であり、表面積を大きくして効率的な熱交換が可能である。
【００３３】
なお、蓄熱槽１２の冷水を直接利用する他、図５に示すように、熱交換器１１０を介して冷水を得るものでも良い。この場合、蓄熱槽１２内の水は、ポンプ１１４と配管１１２，１１３により熱交換器１１０と蓄熱槽１２間を循環する。そして、熱交換器１１０には、外部の水道等の水が配管１１６，バルブ１１８を介して流入し、熱交換されて配管１２０から冷水が供給される。この場合、冷水は蓄熱槽１２内の水ではないので、より清浄な冷水であり、食品等の清浄な冷水を必要とする用途に適している。
【００３４】
また、図６に示すように、蓄熱槽１２の熱交換パイプ９０に流れるブラインの経路を、タンク側熱交換器７０から外部の熱交換器１２２に切り替えて、熱交換器１２２で蓄熱槽１２の氷と熱交換するようにしても良い。熱交換器１２２には、配管１２４、バルブ１２６により水道水を給水して、配管１２８から冷水を出す。ブラインの切り替えは、配管７６，７８の途中に設けた分岐管１３０，１３１により行う。そして、各分岐管１３０，１３１から配管１３２，１３３とポンプ１３４により、熱交換パイプ９０と熱交換器１２２との間でブラインが循環する。
【００３５】
さらに、図６に示す蓄熱槽１２に、図４または図５に示す配管を接続して、外融式氷蓄熱装置としての利用方法を併用しても良い。この場合、上記実施形態のように、冷媒を逆流させる動作が不要であり、よりエネルギー効率がよい。
【００３６】
この場合も、蓄熱槽１２により蓄えられた冷熱エネルギーを、熱交換器１２２を介して取り出すことができ、簡単な装置で大量の冷水を得ることができ、得られた冷水も清浄なものである。
【００３７】
なお、この発明の蓄熱装置は、上記実施形態に限定されるものではなく、適宜変更可能であり、室外機と室内機が一体となった装置でも良く、室内機は冷蔵庫や冷凍庫でも良い。また蓄熱槽の形状や熱交換パイプの形状材質は問わないものである。
【図面の簡単な説明】
【００３８】
【図１】この発明の一実施形態の蓄熱装置の概略斜視図である。
【図２】この実施形態の蓄熱装置の運転状態の管路図である。
【図３】この実施形態の蓄熱装置の他の運転状態の管路図である。
【図４】この実施形態の蓄熱装置の蓄熱槽を示す概略断面図である。
【図５】この発明の蓄熱装置の他の実施形態の蓄熱槽を示す概略断面図である。
【図６】この発明の蓄熱装置の他の実施形態の蓄熱槽を示す概略断面図である。
【符号の説明】
【００３９】
１０  蓄熱装置
１２  蓄熱槽
１４  圧縮機
１６  室外機熱交換器
１８  放熱ファン
２４  室内機熱交換器
２２  室外機
２８  室内機
３０  ４方弁
５０，６２  分岐管
５１，６７  切替弁
５２，６０，６４，６８  配管
７０  タンク側熱交換器
【図１】
2006010256.tif 000003
【図２】
2006010256.tif 000004
【図３】
2006010256.tif 000005
【図４】
2006010256.tif 000006
【図５】
2006010256.tif 000007
【図６】
2006010256.tif 000008